(57)【要約】【課題】耐横荷重性に優れた高さ調整用脚金具１を提供する。【解決手段】ボルト軸２は台座３に対して回転自在に挿通されている。これにより、台座３を接地したままボルト軸２を回転させ、被設置物Ｍの雌ねじ部Ｓに対するねじ込み量Ｘを調整し、被設置物Ｍの高さ調整が行われる。台座３の全体に軟質樹脂による樹脂被覆層３２が形成されている。これにより、床面Ｆとの間に大きな摩擦抵抗を得て、被設置物Ｍに横方向荷重が作用した場合であっても台座３が床面上を滑ることを軽減できる。この際、台座３に対して樹脂被覆層３２がずれて外れてしまうようなこともない。耐腐食効果や錆止め効果、さらに床面Ｆと被設置物Ｍとの絶縁効果も得られる。【選択図】　　図１
2004033417.tif 000002
【特許請求の範囲】
【請求項１】
雄ねじが切られたボルト軸と、
頂部に前記ボルト軸が回転自在に挿通されるボルト挿通孔が設けられたドーム形状の台座と、
前記ボルト挿通孔の上側で前記ボルト軸と一体に回転するように前記ボルト軸に設けられた前記ボルト挿通孔より大径の座り部と、
前記ボルト挿通孔の下側に突出した前記ボルト軸の下端部に設けられた前記ボルト挿通孔より大径の抜け止め部と、を備え、
前記台座は、軟質樹脂により全体が被覆されていることを特徴とする高さ調整用脚金具。
【請求項２】
前記台座と前記座り部との間に、前記ボルト軸に挿通されるワッシャーが介在されたことを特徴とする請求項１に記載の高さ調整用脚金具。
【請求項３】
前記ボルト挿通孔の内周面では、前記軟質樹脂による被覆が除去されていることを特徴とする請求項１または２に記載の高さ調整用脚金具。
【請求項４】
前記軟質樹脂による被覆は、その厚さが１．０ｍｍ以上、５．０ｍｍ以下であることを特徴とする請求項１〜３のいずれかに記載の高さ調整用脚金具。
【請求項５】
前記軟質樹脂による被覆は、ショア硬さが６０以上、６５以下であることを特徴とする請求項１〜４のいずれかに記載の高さ調整用脚金具。
【請求項６】
前記軟質樹脂は、軟質塩化ビニル系樹脂であることを特徴とする請求項１〜４のいずれかに記載の高さ調整用脚金具。
【発明の詳細な説明】
【０００１】
【発明が属する技術分野】
この発明は、自動販売機、ユニットバス、その他種々の被設置物を所定の床面等に高さ調整を行いながら設置するために用いられる高さ調整用脚金具に関する。
【０００２】
【従来の技術】
従来、自動販売機等の被設置物を設置するにあたり、その水平や高さ位置を調整することができる高さ調整用脚金具が知られている。
【０００３】
図２は、従来の高さ調整用脚金具の一例である。この高さ調整用脚金具９１は、雄ねじが切られたボルト軸９２と、床面等に接地されるドーム状の金属製の台座９３とを備えている。ボルト軸９２は、その下部が台座９３の頂部に設けられたボルト挿通孔９３１に回転自在に挿通され、台座９３の上側および下側（内側）にはそれぞれ座り部９４および抜け止め部９５が一体的に取り付けられている。
【０００４】
このような脚金具９１では、ボルト軸９２の被設置物Ｍに設けられた雌ねじ部Ｓに対するねじ込み量によって被設置物Ｍを上げ下げし、高さ調整や水平調整を行う。この際、ボルト軸９２は台座９３のボルト挿通孔９３１に回転自在に挿通されているため、接地した台座９３を回転させることなくボルト軸９２を回転させてねじ込み量を調整することができ、これにより、被設置物Ｍを持ち上げることなくその高さ調整をできるようになっている。
【０００５】
【発明が解決しようとする課題】
しかしながら、従来の高さ調整用脚金具９１では、設置後の被設置物Ｍに横方向（水平方向）の荷重が作用した場合、金属製の台座９３が床面Ｆ上を滑ってしまい、設置位置にずれを生じやすい。このため、台座９３を床面Ｆに直接ねじ止めしたり、あるいは所定の固定金具を介して床面Ｆにねじ止めするなどにより、設置位置のずれ防止が図られているが、このような固定作業を行えばコストがかさむ上、床面の種類等によってはこのような固定作業を行うこと自体が困難な場合もある。
【０００６】
なお、従来の高さ調整用脚金具９１においても床面Ｆに接地する台座９３の下端縁部にゴムリングが被せて床面Ｆとの摩擦力を稼ぎ、これにより横方向荷重に対するずれの軽減を図ったものも提案されている。しかしながら、このような脚金具であってもある程度大きな横方向荷重が作用するとゴムリング内で台座９３がずれて外れてしまいやすく、依然として横方向の荷重に弱い。また、台座９３にゴムリングを被せれば材料コスト、組立コストがかさむ点からも改善の余地があった。
【０００７】
本発明は、上記のような問題に鑑みてなされたものであり、耐横荷重性に優れた高さ調整用脚金具を提供することを目的とする。
【０００８】
【課題解決のための手段】
上記目的を達成するため、この発明にかかる高さ調整用脚金具は、雄ねじが切られたボルト軸と、頂部に前記ボルト軸が回転自在に挿通されるボルト挿通孔が設けられたドーム形状の台座と、前記ボルト挿通孔の上側で前記ボルト軸と一体に回転するように前記ボルト軸に設けられた前記ボルト挿通孔より大径の座り部と、前記ボルト挿通孔の下側に突出した前記ボルト軸の下端部に設けられた前記ボルト挿通孔より大径の抜け止め部と、を備え、前記台座は、軟質樹脂により全体が被覆されていることを特徴とするものである。
【０００９】
このような高さ調整用脚金具は、そのボルト軸が被設置物の下部等に形成された雌ねじ部にねじ込まれることで被設置物に装着され、このねじ込み量を調整することで被設置物の高さ調整が行われる。この際、ボルト軸は台座に対して回転自在に挿通されているため、台座を接地したままボルト軸を回転させて被設置物の高さ調整を行うことができる。また、ボルト軸と一体回転する座り部が台座の上側に設けられているため、この座り部を回転操作することで容易に高さ調整を行うことができる。
【００１０】
そして、床面等に接地する台座はその全体が軟質樹脂により被覆されているため、台座と床面との間に大きな摩擦抵抗を得ることができ、これにより、設置後の被設置物に横方向（水平方向）の荷重が作用した場合であっても台座が床面上を滑ることを軽減して、高い耐横荷重性を得ることができる。
【００１１】
また、台座の全体が樹脂で被覆されるため、台座に対して樹脂の被覆がずれて外れてしまうようなことがなく、この点からも高い横荷重性を確実に発揮することができる。
【００１２】
また、このような高い耐横荷重性を得るにあたり、台座の全体を樹脂被覆するだけでよいため、従来のように固定金具やゴムリング等を用いることに伴うコスト高を抑えることができる。
【００１３】
また、台座が床面に接地することで耐横荷重性が得られるため、被設置物の設置作業には何らの作業を追加することもなく、かつ、床面の種類等によらず、容易に設置作業を行うことができる。
【００１４】
また、床面に接地される台座の全体が樹脂で被覆されるため、耐腐食効果や錆止め効果を得ることができる。
【００１５】
さらに、床面に接地される台座の全体が樹脂で被覆されるため、床面と被設置物との絶縁効果も得ることができる。
【００１６】
なお、軟質樹脂とは、ＡＳＴＭ　Ｄ　７４７、ＡＳＴＭ　Ｄ　６３８、ＡＳＴＭ　Ｄ　８８２によって引っ張り、あるいは曲げ試験を行い、測定された弾性率が７００ｋｇ／ｃｍ２（１０，０００ｐｓｉ）より小さい材料をいう。
【００１７】
また、このような高さ調整用脚金具においては、前記台座と前記座り部との間に、前記ボルト軸に挿通されるワッシャーが介在されることが望ましい。
【００１８】
このようにすると、座り部はワッシャーと接触することとなり、台座の樹脂被覆面による摩擦抵抗を受けることなくボルト軸を回転操作することができるため、被設置物の高さ調整を容易に行うことができる。
【００１９】
また、前記ボルト挿通孔では、前記軟質樹脂による被覆が除去されていることが望ましい。
【００２０】
このようにすると、ボルト軸はボルト挿通孔において台座の樹脂被覆面による摩擦力抵抗を受けることなく回転操作することができるため、被設置物の高さ調整を容易に行うことができる。
【００２１】
また、このような高さ調整用脚金具においては、前記軟質樹脂による被覆は、その厚さが１．０ｍｍ以上、５．０ｍｍ以下であることが望ましい。
【００２２】
厚さが１．０ｍｍ以上であれば、被設置物に横荷重が作用しても、被覆が破れることを未然に防止することができ、また、５．０ｍｍ以下であれば、樹脂材料が過剰に使用されることとなって材料コストがかさむことを未然に防止することができる。さらに、その厚さは２．０ｍｍ以上、４．０ｍｍ以下であることがより好適である。
【００２３】
また、このような高さ調整用脚金具においては、前記軟質樹脂による被覆は、ショア硬さが６０以上、６５以下であることが望ましい。
【００２４】
このような樹脂による被覆によれば、各種の床材に対しても総じて十分に高い摩擦力を得て、優れた耐横荷重性を得ることができる。
【００２５】
また、前記軟質樹脂は、軟質塩化ビニル系樹脂であることが好適である。
【００２６】
【発明の実施の形態】
以下、この発明にかかる高さ調整用脚金具を図面に示した一実施形態に基づいて説明する。
【００２７】
本発明にかかる高さ調整用脚金具は、たとえば自動販売機や各種機械装置、ショーケース、その他ユニットバス等、種々の被設置物を床面や基礎上に設置する際に用いられる脚金具であって、高さ調整を行うことができるものである。
【００２８】
図１は、本実施形態の高さ調整用脚金具１の正面断面図、図２は、同斜視図である。
【００２９】
この図に示すように、本実施形態の高さ調整用脚金具１は、ボルト軸２と、ドーム状の台座３と、台座３の上側でボルト軸２に一体的に設けられた座り部４と、台座３の下側（内側）でボルト軸２の下端部に設けられた抜け止めナット５と、ボルト軸２の上部に螺合されたロックナット６と、台座３と座り部４との間に介在されたワッシャー７を主要構成部材としてなる。
【００３０】
ボルト軸２は、ほぼ全長にわたって雄ねじが形成された金属製の軸体からなる。このボルト軸２は、その上部の雄ねじ部が被設置物Ｍの雌ねじ部Ｓにねじ込まれて被設置物Ｍに装着される。また、このねじ込み量Ｘを調整することによって、被設置物Ｍの設置高さが調整される。なお、このボルト軸２の下端部には、後述するように雄ねじが切られていない。
【００３１】
台座３は、床面等に接地する脚部として機能するものである。この台座３は、円形金属板のプレス加工により、中央部が上方に膨らんだドーム状に構成されている。その周縁部３３はほぼ水平な平面状に形成され、ここで床面Ｆに接地している。この台座３の中央に位置するドーム頂部には、ボルト軸２が挿通されるボルト挿通孔３１が上下に貫通して設けられている。また、この台座３の全体は、軟質樹脂によって被覆されて樹脂被覆層３２が形成されており、この樹脂被覆層３２はボルト挿通孔３１の内周面のみ除去されている。この樹脂被覆層３２については後述する。
【００３２】
座り部４は、台座３の上側でボルト軸２に回り止め状態で装着された六角ナット形状の部材である。この座り部４はボルト挿通孔３１よりも大径に形成されることで、台座３の上面で摺動回転可能に座っている。なお、ボルト軸２の座り部４の下側には雄ねじが切られておらず、ボルト軸２がボルト挿通孔３１内で回転しやすいようになっている。
【００３３】
抜け止めナット５は、台座３の下側（内側）に突出したボルト軸２の下端部に装着された六角ナット形状の部材であり、ボルト軸２を持ち上げたときに台座３が抜け落ちることを防止する抜け止め部として機能する。このため、この抜け止めナット５は、ボルト挿通孔３１よりも大径に構成されている。この抜け止めナット５は、ボルト軸２のねじが切られていない下端部に、この下端部の外径より小さい内命の雌ねじを有するナットを、その雌ねじの山を圧潰しながら圧入して回転不能に嵌着されたものである。この抜け止めナット５およびボルト軸２の下端部は台座３の下端より上方で設置面から浮き上がった位置に位置している。
【００３４】
ロックナット６は、ボルト軸２の上部に螺合され、被設置物Ｍの雌ねじ部Ｓに向かって緊締することにより被設置物Ｍの取り付け位置を固定するものである。
【００３５】
ワッシャー７は、ボルト軸２を容易に回転操作しうるように座り部４と接触して座り部４が台座３の上面の樹脂被覆層３２に接触することを防止するものである。このワッシャー７はボルト軸２が挿通されるためボルト軸２より大径の軸穴が形成されている。また座り部４が台座３の上面の樹脂被覆層３２に接触することを確実に防止するため、ワッシャー７の外周径は座り部４のそれよりも大きく設定されている。
【００３６】
樹脂被覆層３２は、軟質樹脂であれば、床面Ｆに対する高い摩擦係数を有し、床面Ｆに対する高い摩擦抵抗を得られるため、たとえば軟質塩化ビニル樹脂、軟質ポリエチレン、軟質ポリプロピレン等の種々の軟質樹脂を採用することができる。
【００３７】
これらのうち、各種の床材Ｆに対して総じて高い摩擦抵抗が得られる軟質塩化ビニル系樹脂が最適である。
【００３８】
この軟質塩化ビニル系樹脂の可塑剤としては、フタル酸ジブチル、フタル酸ジヘプチル、フタル酸ジオクチル等のフタル酸エステル系可塑剤や、その他リン酸系、脂肪酸系の可塑剤等をあげることができる。特にフタル酸エステル系可塑剤が好適である。
【００３９】
可塑剤の成分量としては、２０重量部〜７０重量部であることが望ましい。２０重量部以下であると硬くなり、高い摩擦抵抗が得られにくくなるからである。また７０重量部以上であると柔らかすぎて強度が低下し、横荷重が作用した際に破損しやすくなるからである。このため、特に下限側は３０重量部以上であることがより好適である。一方、上限側は５０重量部以下であることがより好適である。
【００４０】
また、適宜炭酸カルシウム等の充填剤を配合してもかまわない。
【００４１】
このような軟質塩化ビニル系樹脂の具体例としては、たとえば、ポリ塩化ビニルを４０〜５０重量部、炭酸カルシウムを１０〜２０重量部、フタル酸エステル系可塑剤としてフタル酸ビス（２−エチルヘキシル）を３８重量部、安定剤を１〜２重量部、カーボンブラックを０．６重量部配合したものを好適に採用しうる樹脂材料として挙げることができる。
【００４２】
この樹脂被覆層３２を台座３の全体に被覆形成する方法としては、任意の方法を採用することができるが、たとえば、溶融させた樹脂中に台座３を浸漬して引き上げることにより台座３をコーティングする方法によれば、容易に台座３の全面を樹脂被覆できることから好ましい。
【００４３】
こうして形成される樹脂被覆層３２の厚さは、１．０ｍｍ〜５．０ｍｍであることが望ましい。１．０以上であれば被設置物に横荷重が作用しても、被覆が破れることを未然に防止することができるからである。また５．０以下であれば、樹脂材料が過剰に使用されることとなって材料コストがかさむことを未然に防止することができるからである。特に下限側は２．０ｍｍ以上であることがより好適である。一方、上限側は４．０ｍｍ以下であることがより好適である。
【００４４】
この樹脂被覆層３２のゴム硬さは、ショア硬さが７０以下であることが望ましい。このようにすれば、十分な柔らかさが得られ、十分に高い摩擦抵抗を得ることができるからである。特に、ショア硬さは６０〜６５であることが好適である。６５以下であれば各種の床材に対しても総じて十分に高い摩擦力を得ることができる。また、６０以上であれば、樹脂層３２の機械強度を確保して横荷重が作用した際の破損を未然に防止することができる。
【００４５】
このような高さ調整用脚金具１を用いた被設置物Ｍの設置方法では、まず、ボルト軸２の上部を被設置物Ｍの雌ねじ部Ｓにねじ込んで被設置物Ｍに装着する。通常は１つの被設置物Ｍを複数の高さ調整用金具１…で支持するため、複数の高さ調整用金具１…を取り付ける。
【００４６】
つづいて、被設置物が所定の設置位置に載置するべく、各高さ調整用金具１の台座３を床面Ｆ上に接地させる。そして、この状態で、各高さ調整用脚金具１の座り部４を適宜スパナ等の工具で回転操作することにより、被設置物Ｍの雌ねじ部Ｓに対するボルト軸２のねじ込み量Ｘを調整し、被設置物Ｍの設置高さ調整および水平調整を行う。さらに、ロックナット６を被設置物Ｍの雌ねじ部Ｓに向けて緊締し、被設置物Ｍの取り付け位置を固定して被設置物Ｍの設置高さ調整および水平調整を完了する。
【００４７】
このような高さ調整用脚金具１によれば、床面Ｆに接地する台座３はその全体に軟質樹脂による樹脂被覆層３２が形成されているため、台座３と床面Ｆとの間に大きな摩擦抵抗を得て、設置後の被設置物Ｍに横方向（水平方向）の荷重が作用した場合であっても台座３が床面Ｆ上を滑ることを軽減し、高い耐横荷重性を得ることができる。
【００４８】
また、台座３の全体に樹脂被覆層３２が形成されているため、台座３に対して樹脂被覆層３２がずれて外れてしまうようなことがなく、この点からも高い横荷重性を確実に発揮することができる。
【００４９】
また、このような高い耐横荷重性を得るにあたり、台座３の全体を樹脂被覆するだけでよいため、従来のように固定金具やゴムリング等を用いることに伴うコスト高を抑えることができる。
【００５０】
また、台座３が床面Ｆに接地することで耐横荷重性が得られるため、被設置物Ｍの設置作業には何らの作業を追加することもなく、かつ、床面Ｆの種類等によらず、容易に設置作業を行うことができる。
【００５１】
また、床面Ｆに接地される台座３の全体が樹脂で被覆されるため、耐腐食効果や錆止め効果を得ることができる。
【００５２】
さらに、床面Ｆに接地される台座３の全体が樹脂で被覆されるため、床面Ｆと被設置物Ｍとの絶縁効果も得ることができる。
【００５３】
また、台座３と座り部４との間にワッシャー７が介在されているため、台座３の樹脂被覆面３２による摩擦抵抗を受けることなくボルト軸２を回転操作することができ、これにより、被設置物Ｍの高さ調整を容易に行うことができる。
【００５４】
また、ボルト挿通孔３１では、樹脂被覆層３２が除去されているため、ボルト軸２をボルト挿通孔３１において台座３の樹脂被覆面３２による摩擦力抵抗を受けることなく回転操作することができ、これにより、被設置物Ｍの高さ調整を容易に行うことができる。
【００５５】
また、被設置物Ｍの接地高さ調整等を行うに際し、ボルト軸２は台座３に対して回転自在に挿通されているため、被設置物Ｍを持ち上げることなく、台座３を接地したままボルト軸２を回転させて被設置物Ｍの高さ調整を容易に行うことができる。
【００５６】
また、ボルト軸２と一体回転する座り部４が台座３の上側に設けられているため、この座り部４を回転操作することで被設置物Ｍの高さ調整を容易に行うことができる。
【００５７】
以上にこの発明の一実施形態にかかる高さ調整用脚金具およびそれを用いた被設置物の設置方法について説明したが、この発明は上記実施形態に限定されるものではなく、その趣旨を逸脱しない範囲で、種々の変更が可能である。
【００５８】
例えば、上記実施形態においては、台座３を正面視台形状に構成したが、内部空間が形成されるドーム状であれば、頂部を半球面状に形成したり、周面を略鉛直面に形成したりしてもよい。
【００５９】
【発明の効果】
以上のように、この発明にかかる高さ調整用脚金具によれば、ボルト軸が台座のボルト挿通孔に回転自在に挿通されているため、被設置物を持ち上げることなく容易に高さ調整をできるとともに、床面等に接地する台座はその全体が軟質樹脂により被覆されているため、設置後の被設置物に横方向（水平方向）の荷重が作用した場合であっても台座が床面上を滑ることを軽減して、優れた耐横荷重性を得ることができる。また、台座の全体が樹脂被覆されるため、被覆が台座に対してずれて外れてしまうことを防止でき、この点からも優れた耐横荷重性を得ることができる。また、床面に接地される台座の全体が樹脂で被覆されるため、耐腐食効果や錆止め効果、さらに床面と被設置物との絶縁効果も得ることができる。
【図面の簡単な説明】
【図１】この発明の一実施形態にかかる高さ調整用脚金具の正面断面図である。
【図２】従来の高さ調整用脚金具の一例である。
【符号の説明】
１　高さ調整用脚金具
２　ボルト軸
３　台座
３１　ボルト挿通孔
３２　樹脂被覆層
４　座り部
５　抜け止めナット（抜け止め部）
６　ロックナット
７　ワッシャー
Ｍ　被設置物
Ｓ　雌ねじ部
Ｆ　床面
Ｘ　ねじ込み量
【図１】
2004033417.tif 000003
【図２】
2004033417.tif 000004